(57)【要約】    【課題】  本発明は、帽子の折り畳み及び組立が極めて容易であり、組立状態の出来映えに優れ、しかも、組み立てた状態が変形せず、常に安定した状態が維持できる帽子、その帽子の部品である前立て芯及び帽章を提供することにある。    【解決手段】  本発明に係る帽子１０は、前立て芯３０と、帽子１０にネジ止めされた帽章１９とを使用するものであって、該前立て芯３０は、帽蓋部１１の襠部１３内側に当接する傾倒部材３１と、腰部１５内側の側芯１７に取着される垂直部材３２とから構成され、該傾倒部材３１は該垂直部材３２に対して前傾姿勢から下方に向かって折曲可能に接合され、該垂直部材３２には、その内側上端に傾倒部材３１の折曲を規制するストッパ３１ａが突設され、該傾倒部材３１には、その内側下端に前記垂直部材３２のストッパ３２ａと当接する突起３１ａが設けられてなるものである。    【選択図】        図２
2005344236.tif 000002
【特許請求の範囲】
【請求項１】
帽天部と襠部とからなる帽蓋部と、帽天部と襠部との境の内側周囲に配される環状の整形枠と、帽蓋部下方の腰部と、該腰部の内側に配する側芯とを備える帽子に対し、該帽天部の前部を突き上がらせるために該腰部の側芯に取着する前立て芯であって、
該前立て芯は、帽蓋部の襠部内側に当接する傾倒部材と、腰部内側の側芯に取着される垂直部材とから構成され、該傾倒部材は該垂直部材に対して前傾姿勢から下方に向かって折曲可能に接合され、
該垂直部材には、その内側上端に傾倒部材の折曲を規制するストッパが突設され、
該傾倒部材には、その内側下端に前記垂直部材のストッパと当接する突起が設けられ、該突起がストッパに当接することにより傾倒部材が前傾姿勢以上に起立しないようにしたことを特徴とする帽子の前立て芯。
【請求項２】
垂直部材は、その中央上部に帽章取付穴を形成したことを特徴とする請求項１に記載の帽子の前立て芯。
【請求項３】
傾倒部材は、その上縁に内方に湾曲させた反り部と、該反り部下方に整形枠の滑落を防止する凸状の滑り止め部とを有し、該反り部と滑り止め具との間に整形枠を嵌脱可能に構成したことを特徴とする請求項１又は２に記載の帽子の前立て芯。
【請求項４】
請求項２に記載の帽子の前立て芯に形成した帽章取付穴を利用して帽子に羅着される帽章であって、該帽章の裏面中央部に突出形成された帽章脱落防止弾性体と、帽章裏面上部に突出形成された帽章回転防止弾性体と、帽章脱落防止弾性体から突出する雄ねじ部とを備えたことを特徴とする帽章。
【請求項５】
請求項１〜３のいずれか１項に記載の帽子の前立て芯又は請求項４に記載の帽章を使用してなることを特徴とする帽子。
【発明の詳細な説明】
【技術分野】
【０００１】
本発明は、主として警察官、自衛官、警備員等が業務上着用する帽子及びその部材である前立て芯及び帽章に関するものであって、帽章を取り外した状態で折り畳むことが可能な帽子及びその部材である前立て芯及び帽章に関する。
【背景技術】
【０００２】
従来において、例えば実用新案登録第３０８０７３５号（特許文献１）に示される組立式帽子の前立て芯が知られている。図１０に示されるように、この前立て芯１０１は、帽子における袋状の帽蓋部の前部に反り上げを形成するために帽子に配されるものであり、上端縁１０３が弧状をなす前立て片１０２と、その下端縁１０４中央部に一体的に設けた差込足片１０５とからなる合成樹脂製のものである。一方、帽子帽蓋部下方の腰部の内側に配される環状の側芯１１０の内側には、差込枠部材１１１を取り付けることにより、側芯１１０と枠部材１１１との間に断面がＵ字形状の間隙を形成する。この構成により、前記前立て芯の差込足片１０５を側芯１１０と枠部材１１１との間の間隙内に差込むことにより前立て芯１０１を側芯１１０に着脱自在に取り付けられるようにしたものである。そして、該前立て芯１０１は、帽子の側布の裏面に位置させ、帽章の雄ねじ部を側布及び前立て芯の帽章取付穴１０８を貫通させて皿ネジによりネジ止めすることにより、帽章と共に帽子に固定される。したがって、帽章を帽子から取り外すと前立て芯１０１を取り外すことができるので、保管や運搬時の嵩張りを減少させることができるものである。
【特許文献１】実用新案登録第３０８０７３５号
【発明の開示】
【発明が解決しようとする課題】
【０００３】
上記のような帽子は、保管や運搬時における分解状態のままで使用者に支給され、これを支給された使用者自身が帽子を組み立てる場合が多いのが現状である。そのような現状においては、できるだけ組み立て作業が少なく、かつ、必ず完全な状態に組み立てられることが要求される。この要求に反して、かなりバラバラに分解されているものがある。上記従来の技術で示した帽子も、かなり複雑に分解されて保管及び運搬されることを前提とするものであり、このような帽子を支給される側としては、面倒であるのみならず必ずしも完全な状態に組み立てられるとは限らない不安感がある。
【０００４】
上記従来の帽子において、分解の状態を、帽子から帽章と前立て芯１０１とを取り外した状態だけにし、帽蓋部を腰部側に押し付けて折り畳むことにより嵩張りを低くした場合でも、容易に前立て芯１０１を側芯１１０に取り付けることができないため、結局、側芯１０を取り外さざるを得ず、組み立て作業が大層なことになってしまうのが常であった。また、従来の帽章は帽子との密着性が乏しいため摩擦力が弱く、皿ネジを強く締めておいても、帽子の使用中などに皿ネジが緩んで帽章が歪んだり、場合によっては皿ネジが外れて帽章が脱落するおそれがあった。
【０００５】
そこで、本発明者は、鋭意研究を重ねた結果、帽子の折り畳み及び組立が極めて容易であり、組立状態の出来映えに優れ、しかも、組み立てた状態が変形せず、常に安定した状態が維持できる帽子、その帽子の部品である前立て芯及び帽章を開発した。
【課題を解決するための手段】
【０００６】
本発明に係る帽子の前立て芯は、帽天部と襠部とからなる帽蓋部と、帽天部と襠部との境の内側周囲に配される環状の整形枠と、帽蓋部下方の腰部と、該腰部の内側に配する側芯とを備える帽子に対し、該帽天部の前部を突き上がらせるために該腰部の側芯に取着する前立て芯であって、該前立て芯は、帽蓋部の襠部内側に当接する傾倒部材と、腰部内側の側芯に取着される垂直部材とから構成され、該傾倒部材は該垂直部材に対して前傾姿勢から下方に向かって折曲可能に接合され、該垂直部材には、その内側上端に傾倒部材の折曲を規制するストッパが突設され、該傾倒部材には、その内側下端に前記垂直部材のストッパと当接する突起が設けられ、該突起がストッパに当接することにより傾倒部材が前傾姿勢以上に起立しないようにしたことを特徴とするものである。
【０００７】
また、上記帽子の前立て芯において、垂直部材は、その中央上部に帽章取付穴を有する構成としてもよい。
【０００８】
さらに、上記帽子の前立て芯のいずれかにおいて、傾倒部材は、その上縁に内方に湾曲させた反り部と、該反り部下方に整形枠の滑落を防止する凸状の滑り止め部とを有し、該反り部と滑り止め具との間に整形枠を嵌脱可能に構成してもよい。
【０００９】
上記のように帽子の前立て芯を構成することにより、側芯に前立て芯を取着したままで帽子の前部を押し下げて前立て芯を折曲することにより折り畳むことができ、前立て芯を引き上げて立ち上がらせれば帽子の前部を突き上がらせることができる。
【００１０】
また本発明に係る帽章は、請求項２に記載の帽子の前立て芯に形成した帽章取付穴を利用して帽子に羅着される帽章であって、該帽章の裏面中央部に突出形成された帽章脱落防止弾性体と、帽章裏面上部に突出形成された帽章回転防止弾性体と、帽章脱落防止弾性体から突出する雄ねじ部とを備えたことを特徴とするものである。
【００１１】
上記のように帽章を構成することにより、帽章脱落防止弾性体及び帽章回転防止弾性体が帽子に密着し、帽章脱落防止弾性体をネジ止めすることにより圧着するため、帽章の羅着が緩むことないので、帽子の側芯と前立て芯とを強固に挟持することができ、また、帽章が回転したり、脱落することを防止することができる。
【００１２】
また本発明に係る帽子は、上記いずれかの帽子の前立て芯又は帽章を使用してなることを特徴とするものである。
【００１３】
上記の帽子の前立て芯や帽章を使用した帽子は、帽章を取り外すだけの作業で容易に折り畳むことができ、また帽章を取り付けるだけの作業で帽子を容易に組み立てることができ、かつ、ひとたび羅着した帽章は緩むことなく固定される。
【発明の効果】
【００１４】
本発明は、上記したように、帽子の前立て芯を折曲可能とすることで、帽章を取り外せば、側芯に前立て芯を取着したままで帽子の前部を押し下げて前立て芯を折曲することにより折り畳むことができ、前立て芯を引き上げて立ち上がらせれば帽子の前部を突き上がらせることができ、帽章を取り付けるだけの作業で帽子が容易に組み立てられるものであり、また、帽章が緩むことなく、帽子の側芯と前立て芯とを強固に挟持することができ、帽章が回転したり、脱落することを防止することができるものである。
【発明を実施するための最良の形態】
【００１５】
以下に、本発明の好適な実施例を添付の図面に基づいて詳細に説明する。
【００１６】
図１は本実施例に係る帽子の全体斜視図であり、図２は図１のＡ−Ａ線断面図であり、図３は前立て芯の斜視図であり、図４は図２の状態から帽章を取り外し、前立て芯を整形枠の内側に移動した状態を示す断面図であり、図５は帽蓋部を水平位置まで押し下げた状態を示す断面図であり、図６は帽蓋部を最下位置まで押し下げた状態を示す断面図であり、図７は帽章の裏面側の斜視図であり、図８は皿ネジの分解斜視図であり、図９は帽章を取り付ける状態を示す一部拡大断面図である。
【００１７】
図１及び図２において、１０は帽子を示し、１１は帽蓋部であって帽天部１２と襠部１３とから構成され、帽天部１２と襠部１３との境の内側周囲には環状の整形枠１４が配されて帽天部１２の保形がなされている。１５は帽蓋部１１に連設される腰部であり、腰部１５にはの外側には帯章１６が配されており、内側には側芯１７が設けられている。さらに側芯１７の内側には腰部の下端から内側に折り返してなる汗止め１８が設けられるている。１９は帽章であり、腰部１５に皿ネジ４０をもってネジ止めされている。２１は伸縮構造を備えた顎紐であり、腰部１５の左右両側下部に耳章２２をもってネジ止めされている。２３は腰部１５の前側下端に連設されてなる鍔部である。
【００１８】
図３は帽子１０の前部内側に取着され、帽天部１２の前部を突き上がらせるために設けた前立て芯３０を示す。前立て芯３０は、傾倒部材３１と垂直部材３２とからなり、傾倒部材３１は垂直部材３２に対して前傾姿勢から下方に向かって折曲可能に接合されて構成されたものである。そして、該垂直部材３２には、その内側上端に傾倒部材３１の折曲を規制するストッパ３２ａが突設され、該傾倒部材３１には、その内側下端に前記垂直部材３２のストッパ３２ａと当接する突起３１ａが設けられ、該突起３１ａがストッパ３２ａに当接することにより傾倒部材３１が前傾姿勢以上に起立しないように構成されている。この前立て芯３０は、その傾倒部材３１が帽蓋部１１の襠部１３の内側に当接し、垂直部材３２は側芯１７に固着することにより、帽子１０内に取り付けられる。また、前立て芯３０における垂直部材３２には、その中央上部に垂直方向に長い長穴よりなる帽章取付穴３３が形成されており、帽章取付穴３３が側芯１７の前部に形成した帽章取付用貫通穴１７ａ及び襠部１３の前部下部に形成した帽章取付用貫通穴１３ａと一致させて垂直部材３２が側芯１７に固着されている。さらに前立て芯３０における傾倒部材３１には、その上縁に内方に湾曲させた反り部３４が形成され、該反り部３４の下方に整形枠１４の滑落を防止する凸状の滑り止め部３５が設けられており、該反り部３４と滑り止め具３５との間に整形枠１４を嵌め込むことができ、また、必要に応じて、離脱させることができるように構成されている。
【００１９】
次に図２に示す帽子１０が、組み立てられた状態から折り畳まれるまでを図４〜図６に基づいて説明する。
【００２０】
図２に示す帽子の状態から、図４に示すように、帽章１９を皿ネジ４０を外すことにより取り外し、前立て芯３０の反り部３４と滑り止め部３５との間に嵌め込まれている整形枠１４を離脱させて、整形枠１４の内側に前立て芯３０の上端を位置させる。次に、図５及び図６に示すように、帽蓋部１１の前部を押し下げる。図５は、前立て芯３０の傾倒部材３１が水平になった状態であり、帽蓋部１１の前部が最も前に突き出した状態であり、この状態においては、襠部１３及び帽天部１２が前方に強く引っ張られて帽蓋部１１の後部が持ち上がり、前立て芯３０の垂直部材３２の上部が若干後退するが、整形枠１４と側芯１７との保形力により、帽蓋部１１の前部を引き戻して元の状態に戻ろうとする復元力が働いている。この図５に示す状態から、図６に示すように、さらに帽蓋部１１の前部を押し下げると、帽蓋部１１の前部が若干後退し、前述した帽蓋部１１の前部を引き戻して元の状態に戻ろうとする復元力により、その後退した状態で安定する。すなわち、図５に示す状態が帽蓋部１１の前部と後部との距離が最も長くなろうとする緊張状態にあって帽蓋部１１の前部が上下いずれかの方向に動こうとする不安定な状態であり、図４及び図６に示す状態は、帽蓋部１１の前部と後部との距離が図５に示す状態より短くなるので、緊張状態が緩み安定した状態となる。
【００２１】
この帽子の折り畳みの手順を逆にすると、図６に示す状態から帽蓋部１１の前部を引き上げると、図５に示す状態で前述した帽蓋部１１の前部を引き戻して元の状態に戻ろうとする復元力が最大となり、それを乗り越えると、前記復元力により図４の状態に弾発的に復元し、その状態で安定する。
【００２２】
このように帽子の前立て芯３０を構成したことにより、側芯１７に前立て芯３０を取着したままで帽子１０の前部を押し下げて前立て芯３０を折曲することにより折り畳むことができ、前立て芯３０を引き上げて立ち上がらせれば帽子１０の前部を突き上がらせることができる。この図４に示す状態において、帽章１９を皿ネジ４０により帽子に取り付ければ、図１及び図２に示す状態となり、帽子１０が組み立てられて完成する。
【００２３】
図７に示す帽章１９の裏面には、その中央部に帽章脱落防止弾性体１９ａが突出形成されており、また、その上部に突出形成された帽章回転防止弾性体１９ｂが突出形成されている。これら帽章脱落防止弾性体１９ａ及び帽章回転防止弾性体１９ｂはシリコン樹脂製の弾性体であり、帽子取付面に対する帽章１９の密着性を向上させている。帽章脱落防止弾性体１９ａには、帽章脱落防止弾性体１９ａに基部が埋設され、帽章脱落防止弾性体１９ａから突出する雄ねじ部２０が設けられている。
【００２４】
図８は、公知の皿ネジ４０であって、円板状の頭部４１と頭部中央から突出形成された雌ネジ部４２とを備え、雌ネジ部４２の周囲には環状溝４３が形成され、該環状溝４３には、環状溝４３の深さよりも高さのある弾性リング４４が嵌め込まれている。この弾性リング４４はエラストマーにより形成されている。なお、皿ネジは本実施例に示すものに限られるものではなく、雌ネジ部を有するものであればよい。
【００２５】
そして、図９に示すように、前記の帽章１９の雄ねじ部２０を、襠部１３に形成した帽章取付用貫通穴１３ａを介して前立て芯３０における帽章取付穴３３に差し込み、さらに側芯１７に形成した帽章取付用貫通穴１７ａを貫通させ、貫通した雄ねじ部２０に前記の皿ネジ４０を螺合して帽章１９を帽子１０にネジ止めする。このように帽章１９を構成したことにより、帽章脱落防止弾性体１９ａ及び帽章回転防止弾性体１９ｂが帽子に密着し、前記の皿ネジ４０によりネジ止めすることにより帽章脱落防止弾性体１９ａが帽子１０に圧着されるため、帽章１９の羅着が緩むことないので、帽子１０の側芯１７と前立て芯３０とを強固に挟持することができ、また、帽章回転防止弾性体１９ｂが相俟って帽章１９が回転したり、脱落することを防止することができる。
【００２６】
以上のように、本実施例に係る帽子１０は、帽子１０を折り畳み可能にする帽子の前立て芯３０や前立て芯３０を固定し、かつ帽子１０から回転や脱落を防止する作用を有する帽章１９を使用しているので、帽章１９を取り外すだけの作業で容易に折り畳むことができ、帽章１９を取り付けるだけの作業で帽子１０を容易に組み立てることができ、かつ、帽子１０に対して帽章１９の脱着を繰り返しても、帽章１９が緩むことなく帽子１０に固定される。
【図面の簡単な説明】
【００２７】
【図１】本実施例に係る帽子の全体斜視図である。
【図２】図１のＡ−Ａ線断面図である。
【図３】前立て芯の斜視図である。
【図４】図２の状態から帽章を取り外し、前立て芯を整形枠の内側に移動した状態を示す断面図である。
【図５】帽蓋部を水平位置まで押し下げた状態を示す断面図である。
【図６】帽蓋部を最下位置まで押し下げた状態を示す断面図である。
【図７】帽章の裏面側の斜視図である。
【図８】皿ネジの分解斜視図である。
【図９】皿ネジを取り付ける状態を示す一部拡大断面図である。
【図１０】従来の帽子における側芯と前立て芯とを示す斜視図である。
【符号の説明】
【００２８】
１０・・・・帽子
１１・・・・帽蓋部
１２・・・・帽天部
１３・・・・襠部
１３ａ・・・襠部に形成した帽章取付用貫通穴
１４・・・・整形枠
１５・・・・腰部
１６・・・・帯章
１７・・・・側芯
１７ａ・・・側芯に形成した帽章取付用貫通穴
１８・・・・汗止め
１９・・・・帽章
１９ａ・・・帽章脱落防止弾性体
１９ｂ・・・帽章回転防止弾性体
２０・・・・雄ねじ部
２１・・・・顎紐
２２・・・・耳章
２３・・・・鍔部
３０・・・・前立て芯
３１・・・・傾倒部材
３１ａ・・・突起
３２・・・・垂直部材
３２ａ・・・ストッパ
３３・・・・帽章取付穴
３４・・・・反り部
３５・・・・滑り止め部
４０・・・・皿ネジ
４１・・・・皿ネジの頭部
４２・・・・雌ネジ部
４３・・・・環状溝
４４・・・・弾性リング
【図１】
2005344236.tif 000003
【図２】
2005344236.tif 000004
【図３】
2005344236.tif 000005
【図４】
2005344236.tif 000006
【図５】
2005344236.tif 000007
【図６】
2005344236.tif 000008
【図７】
2005344236.tif 000009
【図８】
2005344236.tif 000010
【図９】
2005344236.tif 000011
【図１０】
2005344236.tif 000012